(57)【要約】【課題】水耕栽培植物に必要な水分及び養分が失われないように重複運用し、培養液の循環流動によって植物の生長を加速する水耕液体供給装置を提供する。【解決手段】水耕液体供給装置は、少なくともプレート体、培養液ビン及びモーターを設置する。該プレート体は、開放空間を備えて液体を注入し、且つ該開放空間には逸らせ板を設置して第一液槽、第二液槽及び連通部品に仕切る。また培養液ビンは破水した表面張力が該プレート体内にゆっくりと培養液を流す。該モーターはそれぞれ第二液槽及び連通部品を繋いで液体を吸入して送り、且つ第一液槽は連通部品によって液体を第二液槽へ導き、液体の供給循環回路を形成する。【選択図】図１
0003178240.tif 000002
【実用新案登録請求の範囲】
【請求項１】
水耕液体供給装置において、少なくとも、
開放空間を備えて液体を注入し、且つ該開放空間には逸らせ板を設置して第一液槽、第二液槽及び連通部品に仕切るプレート体と、
瓶口を備えてそこに培養液を入れ、該瓶口は該逸らせ板を挿設して液面を接触し、該培養液を該プレート体内にゆっくりと注入する培養液ビンと、
該プレート体に設置し、該モーターは第二液槽及び連通部品を繋いで液体を送り、且つ第一液槽は連通部品によって液体を第二液槽へ導き、液体供給循環回路を形成するモーターを含むことを特徴とする水耕液体供給装置。
【請求項２】
前記逸らせ板は、平面であることを特徴とする請求項１記載の水耕液体供給装置。
【請求項３】
前記該逸らせ板は、斜面であることを特徴とする請求項１記載の水耕液体供給装置。
【請求項４】
前記逸らせ板は、複数の液体案内槽を設置し、液体を第一液槽から第二液槽へ循環注入することを特徴とする請求項１、２もしくは３記載の水耕液体供給装置。
【請求項５】
前記液体案内槽は、平面槽もしくは斜度槽で、液体の流れをスムーズにすることを特徴とする請求項４記載の水耕液体供給装置。
【請求項６】
前記プレート体は、植付け板を設置し、LEDライト板を固定し、全体を植物生育ユニットに構成することを特徴とする請求項１、２もしくは３記載の水耕液体供給装置。
【請求項７】
前記プレート体は、複数の支持フレームを設置し、該植付け板は該複数の支持フレームを挿設してプレート体を対応させ、LEDライト板は該複数の支持フレームによって固定し、該植付け板上方に設置して，全体を植物生育ユニットに構成することを特徴とする請求項６記載の水耕液体供給装置。
【請求項８】
前記複数の支持フレームは、複数の植物生育ユニットを層にして設置することを特徴とする請求項７記載の水耕液体供給装置。
【請求項９】
前記水耕液体供給装置の該植物生育ユニットは、外側に空調設備を設置し、該空調設備は複数のふさぎ板によって空調ユニットを設置することを特徴とする請求項８記載の水耕液体供給装置。
【請求項１０】
前記植付け板は逸らせ板を対応させて固定し、且つ該植付け板は複数の穿孔を穿設して野菜の苗を固定設置することを特徴とする請求項６記載の水耕液体供給装置。
【考案の詳細な説明】
【技術分野】
【０００１】
本考案は、水耕装置に関するもので、特に栽培植物の水分及び養分が失われないよう、重複運用し、培養液を循環供給する水耕液体供給装置に係わる。
【背景技術】
【０００２】
伝統的な大型栽培場は、一般に開放式平面土耕農地を使用する。そのため、広大な土地を必要とし、且つ天候の影響も受けるため、収穫量も安定せず、且つ外来生物の汚染の危険もある。更に伝統的な土耕方式は都市に住む現代人には適さない。水耕栽培は、近年では広く受け入れられ、水耕栽培によって居住環境に制限がある人々でも家庭の一角で野菜を育てることができ、それにより農薬が残留した野菜を食すことを避ける事ができ、更には植物を育てる楽しみを得ることによって、娯楽の出費を減らすことができる。
【０００３】
農作物の栽培は、主に関連設備によって光照射、水、空気等の農作物生長に必要なエネルギー源をコントロールし、収穫量を安定させ、品質を上げる。収穫量を上げるには、水耕栽培の空間は伝統的な土耕栽培より簡便であるが、公知の水耕栽培は根の部分が常に培養液に浸かっていることが必要である。
【０００４】
更に光照射及び水は、植物栽培の生長にとって、非常に重要な要素であるが、植物の生長は上記が合わさった作用にほぼ依存している。また、植物の生長条件で大きな影響を与える光照射の条件は、植物の生長品質に合っているかどうかが影響する。また、日常灌漑作業は時間がかかるだけでなく、植物の習性、発育規律等特性に基づき、植物環境をコントロールすることが農作物栽培の需要なステップと言える。
【考案の概要】
【考案が解決しようとする課題】
【０００５】
解決しようとする問題点は、水耕栽培に必要な光照射及び水分の補給をコントロールするのが難しい点である。
【課題を解決するための手段】
【０００６】
本考案は、少なくともプレート体、培養液ビン及びモーターを設置する。該プレート体は、開放空間を備えて液体を注入し、且つ該開放空間には逸らせ板を設置して第一液槽、第二液槽及び連通部品に仕切る。また培養液ビンは破水した表面張力が該プレート体内にゆっくりと培養液を流す。該モーターはそれぞれ第二液槽及び連通部品を繋いで液体を吸入して送り、且つ第一液槽は連通部品によって液体を第二液槽へ導き、液体の供給循環回路を形成することを最も主要な特徴とする。
【考案の効果】
【０００７】
本考案の水耕液体供給装置は、水耕栽培植物に必要な水分及び養分が失われないように重複運用し、培養液の循環流動によって植物の生長を加速するという利点がある。
【図面の簡単な説明】
【０００８】
【図１】本考案の立体構造図である。
【図２】本考案の構造指示図である。
【図３】本考案の実施の立体分解図である。
【図４】本考案の逸らせ板構造指示図である。
【図５】本考案の逸らせ板別一構造指示図である。
【図６】本考案の逸らせ板の一構造指示図である。
【図７】本考案の逸らせ板の更に別の一構造指示図である。
【図８】本考案の連通部品の構造指示図である。
【図９】本考案の連通部品の別一構造指示図である。
【図１０】本考案の別一立体組立構造図である。
【考案を実施するための形態】
【０００９】
栽培植物の水分及び養分が失われないよう、重複運用し、培養液を循環供給する水耕液体供給装置を提供することを本考案の主な目的とする。
【００１０】
上述の目的を達成するため、本考案の水耕液体供給装置は、少なくともプレート体、一培養液ビン及び一モーターを含んで構成する。そのうち、プレート体は開放空間を備えてそこに液体を注入する。且つ該開放空間は逸らせ板を設置して第一液槽、第二液槽及び連通部品を仕切る。更に培養液ビンは破水した表面張力によって該プレート体内にゆっくりと培養液を注入し、プレート体はモーターを設置し、該モーターは、第二液槽及び連通部品を繋いで液体を吸入して送り、且つ第一液槽は連通部品によって液体を第二液槽へ導き、液体供給循環システムを形成し、培養液は流動液と混合して希釈する。
【００１１】
使用時、更にプレート体は植付け板及びLEDライト板を設置する。植付け板は植物苗の株を置くのに使用し、且つ植付け板は逸らせ板を対応させて設置する。液体供給循環系統は、植物苗の生長に必要な水分及び養分を提供し、且つ該水分及び養分を失うことなく重複運用し、更にLEDライト板が温度及び光源を調節することで、俾能適時提供光照射を適時提供し、環境を安定させて植物苗の生長を加速させる。
【実施例】
【００１２】
本考案の特徴を図式と共に、実施例を挙げて詳細に説明する。
【００１３】
図１及び図２に示すとおり、本考案の水耕液体供給装置は、少なくともプレート体１０、培養液ビン２０及びモーター３０から構成される。そのうち、
【００１４】
該プレート体１０は、開放空間を備え、そこに液体を注入する。更に該開放空間は逸らせ板１１を設置して第一液槽１２、第二液槽１３及び連通部品１５に仕切る。
【００１５】
該培養液ビン２０は、培養液２１を入れるための瓶口２２を備え、該瓶口２２は該逸らせ板１１に挿入し液面を接触させ、培養液２１が破水の表面張力が緩み該プレート体内に入りやすくする。
【００１６】
該モーター３０は、該プレート体１０に設置し、該モーター３０は第二液槽１３及び連通部品１５をそれぞれ繋いで液体を送り、且つ第一液槽１２は連通部品１５によって液体を第二液槽１３に導き、液体供給循環回路を形成する。
【００１７】
実際の実施時、図２及び図３に示すとおり、プレート体１０は植付け板４０及びLEDライト板５０を設置し、且つ該プレート体１０は複数の支持フレーム１４を設置する。植付け板４０は該複数の支持フレーム１４を挿着してプレート体１０に対応し、またLEDライト板５０は該複数の支持フレーム１４で固定し、該植付け板４０上方に設置し、全体が植物生育ユニットを構成する。次に該植付け板４０は複数の穿孔４１を穿設し、植物の苗を穿孔４１にそれぞれ入れて株を定位させ、且つ植付け板４０は逸らせ板１１に対応して固定する。モーター３０が第二液槽１３の液体を吸い取り、連通部品１５で液体を第一液槽１２へ導き、液体供給循環回路の希釈した培養液２１によって植物の苗の生長に必要な水分及び養分を循環して提供し、該水分及び養分は流失せず且つ重複運用する。次にLEDライト板５０は温度及び光源を調節制御し、適時光照射を提供し、安定した環境によって植物の苗の生長を加速させる。
【００１８】
該逸らせ板１１は、平面構造（例として図１参照）で、第一液槽１２及び第二液槽１３の高低液面を利用し、第一液槽１２液面は逸らせ板１１より高いため、逸らせ板１１から第二液槽１３へ漏れて流れ、次にモーター３０で第二液槽１３の培養液２１を抽出し、連通部品１５が培養液２１を第一液槽１２へ導き、培養液２１の循環流動作用を達成する。当然、図４に示すとおり、該逸らせ板１１は斜面構造でもよく、第一液槽１２の培養液２１が逸らせ板１１へ流れ、培養液２１を逸らせ板１１の高低差によって流動性を高める。
【００１９】
更に、図５に示すとおり、該逸らせ板１１は平面構造で、該逸らせ板１１は複数の平面の液体案内槽１１１を設置し、第一液槽１２及び第二液槽１３間の培養液２１を液体案内槽１１１から流動させ、更に良好な循環を達成する。更に図６に示すとおり、該逸らせ板１１は平面構造で、該液体案内槽１１１は傾斜溝槽とする。傾斜溝槽によって、培養液２１は第一液槽１２及び第二液槽１３間で良好な流れを達成する。更に図７に示すとおり、該逸らせ板１１は斜面構造で該液体案内槽１１１は傾斜溝槽とする。傾斜によって、培養液２１が第一液槽１２及び第二液槽１３間で良好な流れを達成する。
【００２０】
当然、図８に示すとおり、連通部品１５は連通槽１６でもよく、モーター３０で第二液槽１３の培養液２１を抜き取り、連通槽１６を経て培養液２１を第一液槽１２へ導き、培養液２１の循環流動作用を達成する。もしくは図９に示すとおり、連通部品１５は連通管１７でもよく、モーター３０で第二液槽１３の培養液２１を抜き取り、連通管１７を経て培養液２１を第一液槽１２へ導き、培養液２１の循環流動作用を達成する。
【００２１】
上述のとおりであるが、図１０に示す該プレート体１０は複数の支持フレーム１４を設置し、該複数の支持フレーム上方には植付け板４０を挿着し、LEDライト板５０を固定して全体を植物生育ユニットに構成する。更に該複数の支持フレーム１４は、層として重ね複数の植物生育ユニットを設置することで、栽培空間を節約する。
【００２２】
その他、該植物生育ユニットの外側周囲に、空調設備６０を設置する。該空調設備６０は、複数のふさぎ板６１によって構成し、空調ユニット６２を設置し、植物を環境内で制御して生長を安定させる。
【００２３】
上述のとおり、本考案は良好で実施可能な水耕液体供給装置を提供し、法に基づき実用新案登録を申請する。本考案の技術内容及び技術特徴は既に上述のとおりであるが、当領域に習熟した者が本考案に基づいた入替及び修飾を行うかもしれない。拠って、本考案の保護範囲は、実施例に制限されず、本考案から乖離しない入替及び修飾も以下の請求項に含むものとする。
【符号の説明】
【００２４】
１０        プレート体
１１        逸らせ板
１１１        液体案内槽
１２        第一液槽
１３        第二液槽
１４        支持フレーム
１５        連通部品
１６        連通槽
１７        連通管
２０        培養液ビン
２１        培養液
２２        瓶口
３０        モーター
４０        植付け板
４１        穿孔
５０        LEDライト板
６０        空調設備
６１        ふさぎ板
６２        空調ユニット
【図１】
0003178240.tif 000003
【図２】
0003178240.tif 000004
【図３】
0003178240.tif 000005
【図４】
0003178240.tif 000006
【図５】
0003178240.tif 000007
【図６】
0003178240.tif 000008
【図７】
0003178240.tif 000009
【図８】
0003178240.tif 000010
【図９】
0003178240.tif 000011
【図１０】
0003178240.tif 000012